(57)【要約】【課題】演奏位置からの操作によって、大屋根前を容易に開放することができ、また、その開放に伴い、譜面台も容易にセットすることができるグランドピアノの大屋根前支持装置を提供する。【解決手段】大屋根後５の前端部に回動自在に取り付けられた大屋根前６を、開放状態で支持するためのグランドピアノ１の大屋根前支持装置１２であって、大屋根前６の下方に設けられた突揚げ棒支持部１４と、基端部において突揚げ棒支持部１４に回動自在に支持され、前上がりに傾斜するように開放された大屋根前６を先端部で支持するための突揚げ棒１５と、を備えている。【選択図】図１
2010002849.tif 000002
【特許請求の範囲】
【請求項１】
大屋根後の前端部に回動自在に取り付けられた大屋根前を、開放状態で支持するためのグランドピアノの大屋根前支持装置であって、
前記大屋根前の下方に設けられた突揚げ棒支持部と、
基端部において前記突揚げ棒支持部に回動自在に支持され、前上がりに傾斜するように開放された前記大屋根前を先端部で支持するための突揚げ棒と、
を備えていることを特徴とするグランドピアノの大屋根前支持装置。
【請求項２】
前記突揚げ棒は、互いに間隔を隔てて配置された左右２つの突揚げ棒で構成されていることを特徴とする請求項１に記載のグランドピアノの大屋根前支持装置。
【請求項３】
前記大屋根前の下方には、譜面台支持部と、当該譜面台支持部に回動自在に支持され、使用時に起立した状態にセットされる譜面台とが設けられており、
前記大屋根前は、前記突揚げ棒により、前記譜面台の前記セットを許容するような所定の角度に保持されることを特徴とする請求項１または２に記載のグランドピアノの大屋根前支持装置。
【発明の詳細な説明】
【技術分野】
【０００１】
本発明は、大屋根後の前端部に回動自在に取り付けられた大屋根前を、開放状態で支持するためのグランドピアノの大屋根前支持装置に関する。
【背景技術】
【０００２】
図５は、一般的なグランドピアノの外観を示している。このグランドピアノ３１の最上部に設けられた大屋根４は、フレームや響板などを内蔵するピアノ本体２の上面を開閉するものである。この大屋根４は、一般にラワン合板などから成り、大屋根後５および大屋根前６で構成されている。大屋根後５は、低音側の奥行きが高音側のそれよりも長い所定形状に形成され、低音側端部が、屋根角蝶番（図示せず）を介して、ピアノ本体２の側面を構成する側板７に回動自在に取り付けられている。一方、大屋根前６は、平面形状が横長矩形状に形成されており、大屋根後５の前端部に、大屋根蝶番８を介して回動自在に取り付けられ、大屋根後５に対して折り畳み自在になっている。また、大屋根前６の下面前端部には、左右方向に延びる上口棒６ａが設けられ、大屋根前６の下方には、回動自在に支持された譜面台１１が設けられている（図６参照）。
【０００３】
以上のように構成された大屋根４は、グランドピアノ３１の非演奏時や保管時には、ピアノ本体２の内部機構を保護するために、図５に示すように水平に閉鎖される。なお、この閉鎖状態では、大屋根前６の上口棒６ａが、側板７の左右の前端部間に固定された横長の前框１０に上方から当接する。一方、演奏時には、演奏音を前方の演奏者側に直接、伝えるようにしたり、演奏音を大屋根後５の下面で反射させたりすることなどによって、より豊かな音量や響きを得るため、および譜面台１１を起立した状態にセットするために、大屋根４が開放される。
【０００４】
図６は、大屋根前６の開放および譜面台１１のセットを行う際の操作手順の一例を示している。同図（ａ）に示すように、大屋根前６を開放する場合、まず演奏者Ｐが、グランドピアノ３１の横に回り、大屋根前６を手で支えながら、大屋根後５に対して後方に折り畳むことによって開放する。このように、演奏者Ｐがグランドピアノ３１の横に回って大屋根前６の開放操作を行うのは、以下の理由による。すなわち、大屋根４は一般に、サイズがかなり大きく、重厚に作製されており、大屋根前６だけでもかなり重い。また、大屋根前６は、大屋根後５の前端部に大屋根蝶番８を介して単純に取り付けられているだけであるので、開放操作の途中に手が離されると、大屋根後５の上面前部に衝突し、大屋根前６および大屋根後５が損傷するおそれがある。そのため、大屋根前６を開放する場合には、大屋根後５に対して完全に折り畳まれるまで、大屋根前６を手で支える必要があり、グランドピアノ３１の前方からでは、演奏者Ｐが立ち上がった状態でも、大屋根前６を適切に開放することが困難だからである。
【０００５】
大屋根前６の開放後、演奏者Ｐは、そのままの位置（図６（ａ）に示す位置）において、または、グランドピアノ３１の前方において、譜面台１１を起立した状態にセットする。この場合、演奏者Ｐは、図６（ｂ）に示すように、グランドピアノ３１の前方に設置された椅子Ｃに座った状態の位置（以下「演奏位置」という）から、譜面台１１を手前に引き起こすことでセットすることも可能である。なお、図示は省略するが、大屋根後５を開放する場合には、大屋根前６を前述したように折り畳んだ後、大屋根後５の高音側端部を持ち上げながら開放し、大屋根後５を大屋根突揚げ棒（図示せず）で支持する。これにより、大屋根後５は、折り畳まれた大屋根前６とともに、高音側が高くなるように傾斜した開放状態に保持される。
【０００６】
また、譜面台１１を起立した状態にセットする場合、上述したように、演奏位置から行うことが可能であるものの、譜面台１１のセットに先立ち、大屋根前６を開放する必要がある。この場合には、前述した理由から、演奏者Ｐは、グランドピアノ３１の横に回らなければならない。しかし、グランドピアノ３１が、例えば狭い室内に設置されていることなどにより、グランドピアノ３１の左右のスペースが狭く、演奏者Ｐがそのスペースに移動するのが困難である場合には、大屋根前６を開放しにくくなる。特に、演奏者が車椅子使用者である場合、その演奏者にとって、グランドピアノ３１の横に回り、重い大屋根前６を開放するのは、大変な作業である。しかも、グランドピアノ３１の左右のスペースが車椅子の幅よりも狭い場合、演奏者自身で大屋根前６を開放するのは非常に困難であり、大屋根前６を開放できないときには、譜面台１１をセットすることもできない。
【０００７】
このため、本出願人は、グランドピアノの横に回らなくても、前方から大屋根前を開放可能な大屋根前開閉機構を、特許文献１において提案している。この大屋根前開閉機構は、特殊な蝶番やガイド板、スライドレールなどを用いて、大屋根前と大屋根後を連結し、大屋根前を前後方向にスライドさせることによって開閉するものである。そして、大屋根前の開放時には、大屋根前全体が大屋根後に乗り上がった状態となる。
【０００８】
しかし、この大屋根前開閉機構を備えたグランドピアノでは、演奏者が立ち上がった状態であれば、大屋根前を容易に開放できるものの、椅子に座った状態のまま、大屋根前を完全に開放するのは困難である。すなわち、大屋根前を完全に開放するためには、大屋根前全体が大屋根後に乗り上がるよう、大屋根前を大屋根後の前端まで押し込む必要がある。大屋根後の前端は、演奏者が椅子に座った状態から手を伸ばしても届かない位置にあることが多く、そのため、大屋根前を完全には開放できないことがある。この場合、演奏者が椅子に座った状態の位置から、すなわち演奏位置から、大屋根前の下方に配置された譜面台を引き起こそうとすると、譜面台が不完全な開放状態の大屋根前に引っ掛かることがあり、その場合には、譜面台を起立した状態にセットすることができない。
【０００９】
本発明は、以上のような課題を解決するためになされたものであり、演奏位置からの操作によって、大屋根前を容易に開放することができ、また、その開放に伴い、譜面台も容易にセットすることができるグランドピアノの大屋根前支持装置を提供することを目的とする。
【００１０】
【特許文献１】特許３４９７７１１号
【発明の開示】
【課題を解決するための手段】
【００１１】
上記の目的を達成するために、請求項１に係る発明は、大屋根後の前端部に回動自在に取り付けられた大屋根前を、開放状態で支持するためのグランドピアノの大屋根前支持装置であって、大屋根前の下方に設けられた突揚げ棒支持部と、基端部において突揚げ棒支持部に回動自在に支持され、前上がりに傾斜するように開放された大屋根前を先端部で支持するための突揚げ棒と、を備えていることを特徴とする。
【００１２】
この構成によれば、一般的なグランドピアノと同様、大屋根前が大屋根後の前端部に回動自在に取り付けられている。また、大屋根前の下方には、突揚げ棒支持部が設けられ、この突揚げ棒支持部に、突揚げ棒が基端部において回動自在に支持されている。大屋根前を開放する場合、大屋根前の前端部を一方の手で持ち上げ、大屋根前を前上がりに傾斜した状態に保つ。そして、この大屋根前の状態を保ったまま、他方の手で突揚げ棒を回動させながら起こし、その先端部で大屋根前を支持する。これにより、大屋根前は、前上がりに傾斜した開放状態に保持される。
【００１３】
以上のように、大屋根前の開放は、大屋根前の前端部を持ち上げるとともに、突揚げ棒を起こすという操作によって行われる。これらの操作は、大屋根前の折り畳みや後方へのスライドを行う従来の大屋根前の開放操作と異なり、閉鎖状態の大屋根前の前端から後方や上方に若干、手を伸ばす程度で行うことができ、つまり、演奏者が、グランドピアノの前方に設置された椅子に座った状態のまま、行うことができる。したがって、本発明によれば、演奏者による演奏位置からの操作によって、大屋根前を容易に開放することができ、このことは、演奏者が車椅子使用者であっても同様である。
【００１４】
請求項２に係る発明は、請求項１に記載のグランドピアノの大屋根前支持装置において、突揚げ棒は、互いに間隔を隔てて配置された左右２つの突揚げ棒で構成されていることを特徴とする。
【００１５】
この構成によれば、互いに間隔を隔てて配置された左右２つの突揚げ棒で、大屋根前を支持するので、開放された大屋根前を、バランスよくかつ安定した状態に保持することができる。
【００１６】
請求項３に係る発明は、請求項１または２に記載のグランドピアノの大屋根前支持装置において、大屋根前の下方には、譜面台支持部と、譜面台支持部に回動自在に支持され、使用時に起立した状態にセットされる譜面台とが設けられており、大屋根前は、突揚げ棒により、譜面台のセットを許容するような所定の角度に保持されることを特徴とする。
【００１７】
この構成によれば、一般的なグランドピアノと同様、大屋根前の下方には、譜面台支持部に回動自在に支持された譜面台が設けられており、この譜面台は、使用時に起立した状態にセットされる。大屋根前は、突揚げ棒により、譜面台の上記セットを許容するような所定の角度に保持されるので、演奏者による演奏位置からの操作によって、大屋根前の開放に加えて、譜面台のセットも容易に行うことができる。
【発明を実施するための最良の形態】
【００１８】
以下、図面を参照しながら、本発明の好ましい実施形態を詳細に説明する。図１は、本発明の一実施形態による大屋根前支持装置を備えたグランドピアノを示している。なお、以下の説明では、前述した図５および６に示す従来の一般的なグランドピアノと同じ構成要素については、同一の符号を付し、その詳細な説明を省略するものとする。
【００１９】
図１に示すように、このグランドピアノ１は、一般的なグランドピアノと同様、ピアノ本体２の前部に鍵盤３を備えるとともに、その後方上部に、ピアノ本体２の上面を開閉する大屋根４を備えている。この大屋根４は、大屋根後５および大屋根前６で構成されている。大屋根後５は、その低音側端部が屋根角蝶番（図示せず）を介して、側板７に回動自在に取り付けられている。一方、大屋根前６は、その後端部が大屋根蝶番８（図３、５および６参照）を介して、大屋根後５の前端部に回動自在に取り付けられている。
【００２０】
上記のように、この大屋根４は、一般的なグランドピアノのそれと同様に構成されている。したがって、大屋根前６および大屋根後５は、一般的なグランドピアノのそれらと同様の前述した開放状態、すなわち、大屋根前６を大屋根後５に対して折り畳んだ状態、および折り畳まれた大屋根前６とともに大屋根後５を傾斜させた状態で、開放することが可能である。
【００２１】
また、大屋根前６の下方には、一般的なグランドピアノと同様の譜面台１１が設けられ、さらにこの譜面台１１の両側に、大屋根前６を支持することで、前上がりに傾斜した開放状態に保持するための左右２つの大屋根前支持装置１２、１２が設けられている。なお、これらの大屋根前支持装置１２、１２は、互いに構成が同じであるので、以下の説明では、演奏者側から見て、右側のものを代表して説明するものとする。
【００２２】
図２（ａ）は、大屋根前６が閉鎖されているときの右側の大屋根前支持装置１２、および譜面台１１を部分的に示す平面図である。同図（ａ）および（ｂ）に示すように、大屋根前支持装置１２は、側板７の内側面に沿って、前框１０の上端付近から後方に水平に延びるように設けられた収容部１３と、この収容部１３に固定された突揚げ棒支持部１４と、収容部１３に収容されるとともに、突揚げ棒支持部１４に回動自在に支持された突揚げ棒１５と、を備えている。
【００２３】
収容部１３には、その長さ方向に沿って前後方向（図２の左右方向）に延び、上方に開放する凹部１３ａが形成されており、凹部１３ａの前端部に突揚げ棒支持部１４が固定されている。この突揚げ棒支持部１４は、正面形状がＵ字状に形成されており、その内側に、突揚げ棒１５の基端部が、左右方向に延びる支軸１４ａを介して回動自在に係合している。突揚げ棒１５は、収容部１３の凹部１３ａよりも若干短い所定長さを有し、基端部から先端部に向かって径が次第に小さくなるように形成されている。
【００２４】
大屋根前６が閉鎖されているときには、突揚げ棒１５は、突揚げ棒支持部１４から後方に水平に延びた状態で、全体が収容部１３の凹部１３ａに収容される。一方、大屋根前６を前上がりに傾斜した開放状態に保持する場合には、図１、および図２（ｂ）の２点鎖線で示すように、突揚げ棒１５は、後ろ上がり傾斜した状態で、大屋根前６を先端部で下方から支持する。この場合、左右の突揚げ棒１５、１５の先端部は、大屋根前６の下面前端部の上口棒６ａよりも若干後方の所定位置に固定された左右の突揚げ棒受け皿１６、１６（図１では右側のもののみ図示）にそれぞれ係合する。なお、両突揚げ棒受け皿１６、１６は、後述するようにして左右の突揚げ棒１５、１５で順に大屋根前６が支持される場合において、大屋根前６を後から支持する突揚げ棒１５が突揚げ棒受け皿１６に係合する際に、大屋根前６を先に支持した突揚げ棒１５が突揚げ棒受け皿１６から外れないように構成されている。
【００２５】
図２（ａ）および（ｃ）に示すように、譜面台１１は、その基部（図２（ｃ）の前端部）が、下側に設けられた譜面台支持部２１に、譜面台蝶番２２を介して回動自在に支持されている。また、譜面台１１の下面（背面）側には、譜面台１１を背面側から支持するための突っ支い部材２３が設けられている。この突っ支い部材２３は、平面形状が譜面台１１側に開放するコ字状に形成されており、左右の先端部がそれぞれ、蝶番２４、２４（図２（ｃ）では右側のもののみ図示）を介して、譜面台１１の背面の所定位置に回動自在に連結されている。
【００２６】
大屋根前６が閉鎖されているときには、譜面台１１は、水平に横たわった状態になる。一方、大屋根前６が開放されているときには、図１、および図２（ｃ）の２点鎖線で示すように、譜面台１１を、起立した状態にセットすることが可能になる。この場合、突っ支い部材２３の後ろ側の自由端部が、譜面台支持部２１の譜面台蝶番２２の後方に設けられたストッパ２５に係合する。これにより、譜面台１１は、突っ支い部材２３によって背面側から支持され、鉛直方向に対し、後方に若干傾斜した状態に保持される。
【００２７】
なお、上記ストッパ２５は、前後方向に並び、突っ支い部材２３の自由端部が当接した状態で、これを係止するための複数（本実施形態では３つ）の傾斜面２５ａを有している。したがって、突っ支い部材２３の自由端部が、複数の傾斜面２５ａに選択的に係止されることにより、譜面台１１は、複数の傾斜角度でセットされる。
【００２８】
次に、図３および図４を参照しながら、演奏者Ｐによる演奏開始前のグランドピアノ１に対する操作手順、特に、大屋根前６の開放および譜面台１１のセットを行う際の操作手順を説明する。図３（ａ）は、演奏者Ｐが、グランドピアノ１の前方に設置された椅子Ｃに座った直後の状態を示している。演奏者Ｐが演奏を行う場合には、それに先立ち、同図（ｂ）に示すように、鍵盤３を覆う鍵盤蓋３ａの前端部を持ち上げ、前框１０にもたれかけることによって、鍵盤蓋３ａを開放する。
【００２９】
大屋根前６を開放する場合には、図４（ａ）に示すように、大屋根前６の前端部を一方の手で持ち上げ、大屋根前６を前上がりに傾斜した状態に保つ。そして、この大屋根前６の状態を保ったまま、他方の手で一方の突揚げ棒１５を手前に回動させながら起こし、その先端部を、大屋根前６の突揚げ棒受け皿１６に係合させる。同様にして、他方の突揚げ棒１５も起こし、先端部を大屋根前６の対応する突揚げ棒受け皿１６に係合させる。これにより、大屋根前６は、左右の前端部が両突揚げ棒１５、１５で下方からそれぞれ支持され、前上がりに傾斜した開放状態に、バランスよくかつ安定して保持される。またこの場合、大屋根前６は、譜面台１１のセットを許容する所定の角度で、前上がりに傾斜する。
【００３０】
次いで、譜面台１１をセットする場合には、図４（ｂ）に示すように、譜面台１１を手前に回動させながら起こす。この場合、譜面台１１の回動に伴い、突っ支い部材２３の自由端部が前方に移動し、ストッパ２５に係合する。これにより、譜面台１１は、突っ支い部材２３で背面側から支持され、起立した状態にセットされる。
【００３１】
なお、上記のように開放した大屋根前６およびセットした譜面台１１については、演奏終了後、上記と逆の手順で操作することにより、容易に元に戻すことができる。
【００３２】
以上詳述したように、本実施形態によれば、大屋根前６の開放は、大屋根前６の前端部を持ち上げるとともに、左右の突揚げ棒１５、１５を手前に起こすという操作によって行われる。これらの操作は、大屋根前６の折り畳みや後方へのスライドを行う従来の大屋根前の開放操作と異なり、閉鎖状態の大屋根前６の前端から後方や上方に若干、手を伸ばす程度で行うことができ、つまり、演奏者Ｐが、椅子Ｃに座った状態のまま行うことができる。したがって、演奏者Ｐによる演奏位置からの操作によって、大屋根前６を容易に開放することができる。しかも、開放状態の大屋根前６は、譜面台１１のセットを許容する角度で、前上がりに傾斜しているので、演奏者Ｐによる演奏位置からの操作によって、譜面台１１のセットも容易に行うことができる。以上のことは、演奏者が車椅子使用者であっても同様である。
【００３３】
また、本実施形態のグランドピアノ１では、一般的なグランドピアノと同様の大屋根４の開放状態（大屋根前６を大屋根後５に対して折り畳んだ状態、および折り畳まれた大屋根前６とともに大屋根後５を傾斜させた状態）に加えて、大屋根前６を前上がりに傾斜した状態で、開放することができるので、図１に示すような従来にはない斬新な外観のグランドピアノ１を得ることができ、それにより、グランドピアノ１の魅力を向上させることができる。
【００３４】
なお、本発明は、説明した上記実施形態に限定されることなく、種々の態様で実施することができる。例えば、実施形態では、大屋根前６を、左右２つの突揚げ棒１５、１５で支持したが、突揚げ棒１５の数は特に限定されるものではなく、例えば、単一の突揚げ棒で、大屋根前６を支持するようにしてもよい。また、実施形態では、各突揚げ棒１５を、前方に回動させながら起こせるように構成したが、例えば左右方向に回動させながら、起こせるように構成してもよい。さらに、各大屋根前支持装置１２において、互いに長さの異なる複数の突揚げ棒を備えるようにしてもよい。この場合には、複数の突揚げ棒を適宜、選択することにより、大屋根前６を複数の傾斜角度で開放することができる。
【００３５】
また、実施形態で示した大屋根前支持装置１２の細部の構成などは、あくまで例示であり、本発明の趣旨の範囲内で適宜、変更することができる。
【図面の簡単な説明】
【００３６】
【図１】本発明の一実施形態による大屋根前支持装置を備えたグランドピアノを示す外観斜視図であり、大屋根前が前上がりに傾斜するように開放された状態、および譜面台がセットされた状態を示す。
【図２】（ａ）大屋根前が閉鎖されているときの右側の大屋根前支持装置、および譜面台を部分的に示す平面図、（ｂ）（ａ）のｂ−ｂ線に沿う断面図、（ｃ）（ａ）のｃ−ｃ線に沿う断面図である。
【図３】演奏者による演奏開始前のグランドピアノに対する操作手順を説明するための説明図であり、（ａ）演奏者が椅子に座った直後の状態、（ｂ）鍵盤蓋を開放した状態を示す。
【図４】図３に続く説明図であり、（ａ）大屋根前を開放し、突上げ棒で支持した状態、（ｂ）譜面台をセットした状態を示す。
【図５】従来の一般的なグランドピアノを示す外観斜視図である。
【図６】従来の一般的なグランドピアノの大屋根前の開放、および譜面台のセットを行う際の操作手順を説明するための説明図である。
【符号の説明】
【００３７】
１  グランドピアノ
２  ピアノ本体
４  大屋根
５  大屋根後
６  大屋根前
１１  譜面台
１２  大屋根前支持装置
１４  突揚げ棒支持部
１５  突揚げ棒
２１  譜面台支持部
Ｐ  演奏者
Ｃ  椅子
【図１】
2010002849.tif 000003
【図２】
2010002849.tif 000004
【図３】
2010002849.tif 000005
【図４】
2010002849.tif 000006
【図５】
2010002849.tif 000007
【図６】
2010002849.tif 000008